(57)【要約】【課題】遮光処理を施すことなく、組立が容易で、しかも、視認性および見映えの良い発光指針を提供する。【解決手段】発光指針１３は、発光指針部材１３Ａと、発光指針部材１３Ａを覆うカバー部材１３Ｂとによって構成され、発光指針部材１３Ａは、照射光を受光する受光部１３Ａａと、受光部１３Ａａから延びかつ受光部１３Ａａからの光を導光して発光する指針部１３Ａｂとを有し、カバー部材１３Ｂは、受光部１３Ａａを収容する受光部カバー部１３Ｂａと、受光部カバー部１３Ｂａから延びかつ指針部１３Ａｂが挿入される略筒状の指針部カバー部１３Ｂｂとを有し、カバー部材１３Ｂには、文字盤１２とは反対側に指針部１３Ａｂからの光を挿通するためのスリット部１３Ｂｆが設けられている。【選択図】図６
2009145276.tif 000002
【特許請求の範囲】
【請求項１】
メーター装置の文字盤を指示すると共に前記メーター装置に設けられた光源による照射光を導光して発光する発光指針であって、
発光指針部材と、該発光指針部材を覆うカバー部材とによって構成され、
前記発光指針部材は、前記照射光を受光する受光部と、該受光部から延びかつ前記受光部からの光を導光して発光する指針部とを有し、
前記カバー部材は、前記受光部を収容する受光部カバー部と、該受光部カバー部から延びかつ前記指針部が挿入される略筒状の指針部カバー部とを有し、
前記カバー部材には、前記文字盤とは反対側に前記指針部からの光を挿通するためのスリット部が設けられていることを特徴とする発光指針。
【請求項２】
前記指針部カバー部に前記指針部を挿入する際に前記カバー部材と前記発光指針部材との干渉を回避するための切欠部が前記カバー部材に設けられていることを特徴とする請求項１に記載の発光指針。
【請求項３】
前記切欠部を塞ぐための蓋部が設けられていることを特徴とする請求項２に記載の発光指針。
【請求項４】
前記発光指針部材に前記蓋部が設けられ、前記指針部カバー部に前記指針部を挿入することにより前記切欠部が閉塞されることを特徴とする請求項３に記載の発光指針。
【発明の詳細な説明】
【技術分野】
【０００１】
本発明は、車両のアナログ式メーター装置に備えられた発光指針に関する。
【背景技術】
【０００２】
従来から、車両のアナログ式メーター装置に備えられた発光指針が知られている。
【０００３】
図１（ａ）において、符号１は車両のメーター装置、符号２はメーター装置１のスピードメーターの文字盤、符号３は従来例の発光指針である。
【０００４】
図１（ｂ）において、符号４は発光指針３を駆動するためのムーブメント、符号５は発光指針３などを照光するためのＬＥＤ、符号６は回路基板、符号７は透光性の導光部材である。
【０００５】
ムーブメント４は、回路基板６の裏面側に実装されており、ムーブメント４の回転軸４ａは、回路基板６に形成された穴を貫通している。
【０００６】
ＬＥＤ５，５は、回路基板６の表面側にムーブメント４の回転軸４ａの周囲に実装されている。
【０００７】
ＬＥＤ５，５による照光は、導光部材７，７によって導光されて、文字盤２に設けられた発光指針３用の軸部貫通穴２ａおよび、その周囲を裏面側から照光する。
【０００８】
従来例の発光指針３は、透光性の発光指針部材３Ａとキャップ部３Ｂとによって構成されており、発光指針部材３Ａは、受光部３Ａａと指針部３Ａｂとを有している。
【０００９】
受光部３Ａａには、回転の半径方向後端部に約４５°に傾斜した反射面３Ａｃが形成され、軸部３Ａｄが裏側に向けて一体に突設形成されている。また、この軸部３Ａｄには、ムーブメント４の回転軸４ａに嵌合する軸穴３Ａｅが形成されている。
【００１０】
キャップ部３Ｂは、略キャップ形状を呈しており、その側壁に、図１（ａ）に示す保持部３Ｂａが形成されている。
【００１１】
キャップ部３Ｂの保持部３Ｂａに指針部３Ａｂを遊嵌した状態でキャップ部３Ｂの凹部に受光部３Ａａを嵌め込み、キャップ部３Ｂの凹部に設けられた係合ピン（図示省略）と、これと対応する位置に形成された受光部３Ａａの係合穴（図示省略）とを係合させることにより、発光指針部材３Ａにキャップ部３Ｂを取り付ける。
【００１２】
そして、軸部３Ａｄの軸穴３Ａｅにムーブメント４の回転軸４ａを嵌合させて、発光指針３をメーター装置１に装着する。
【００１３】
ＬＥＤ５，５から放射された光は、導光部材７，７によって導光され、文字盤２に設けられた発光指針３用の軸部貫通穴２ａおよび、その周囲の透光部を通して、発光指針部材３Ａの受光部３Ａａを裏面側から照光し、受光部３Ａａの反射面３Ａｃが照射される。
【００１４】
受光部３Ａａの反射面３Ａｃに照射された光は、半径方向外向きに反射され、指針部３Ａｂの文字盤２を臨む側の反射面３Ａｆと、反射面３Ａｆと反対側のシボ加工面３Ａｇとの間で反射しつつ半径方向外向きに向けて導光される。
【００１５】
反射面３Ａｆは、裏面側が銀色あるいは白色に塗装されているか、またはホットスタンプなどの処理がなされていて、シボ加工面３Ａｇは、多数の微細な凹凸により透過光を拡散する。
【００１６】
このため、指針部３Ａｂ内部に導光された光はシボ加工面３Ａｇにおいて透過拡散されるので、メーター装置１を車室側から見ると、指針部３Ａｂのシボ加工面３Ａｇ全体が発光して見える。
【００１７】
また、特許文献１には、発光指針部材の半径方向両側面が遮光性の部材によって覆われており、さらに発光指針部材の文字盤を臨む側の反射面を遮光性の蓋部材で覆う発光指針が記載されている。
【特許文献１】特許第３２２８１４１号公報
【発明の開示】
【発明が解決しようとする課題】
【００１８】
しかしながら、特に車室内が暗くなった際に、従来例の発光指針３では、図２（ａ）または図２（ｂ）に示すように、車室側から見て発光指針部材３Ａの伸びる方向両側面３Ａｈ，３Ａｈからの漏光により、指針部３Ａｂ周辺の文字盤２が照射される。
【００１９】
このため、車室側から視認される指針部３Ａｂの発光面（シボ加工面３Ａｇ）と指針部３Ａｂの背後にある文字盤２とのコントラストが低下するだけでなく、車室側から見た際に発光指針３の見映えを損なうおそれがあった。
【００２０】
そこで、指針部３Ａｂの伸びる方向両側面３Ａｈ，３Ａｈに塗装やホットスタンプ等により遮光処理を施して遮光すると、遮光処理を施すべき面の増大により、塗装やホットスタンプ等の費用が増大し、製造コストの増大を招くだけでなく、処理工程数が増大して生産効率が低下してしまうという問題があった。
【００２１】
また、特許文献１の発明では、遮光性の蓋部材を別途用意する必要があるだけでなく、文字盤を臨む側の反射面を蓋部材によって覆う工程が含まれ、組立時の工程数が増大して生産効率が低下してしまうおそれがあった。
【００２２】
そこで、本発明では、遮光処理を施すことなく、組立が容易で、しかも、視認性および見映えの良い発光指針を提供することを目的にしている。
【課題を解決するための手段】
【００２３】
上記目的を達成するために請求項１に記載の発明は、メーター装置の文字盤を指示すると共に前記メーター装置に設けられた光源による照射光を導光して発光する発光指針であって、
発光指針部材と、該発光指針部材を覆うカバー部材とによって構成され、
前記発光指針部材は、前記照射光を受光する受光部と、該受光部から延びかつ前記受光部からの光を導光して発光する指針部とを有し、
前記カバー部材は、前記受光部を収容する受光部カバー部と、該受光部カバー部から延びかつ前記指針部が挿入される略筒状の指針部カバー部とを有し、
前記カバー部材には、前記文字盤とは反対側に前記指針部からの光を挿通するためのスリット部が設けられている発光指針を特徴としている。
【００２４】
そして、請求項２に記載の発明は、前記指針部カバー部に前記指針部を挿入する際に前記カバー部材と前記発光指針部材との干渉を回避するための切欠部が前記カバー部材に設けられている請求項１に記載の発光指針を特徴としている。
【００２５】
また、請求項３に記載の発明は、前記切欠部を塞ぐための蓋部が設けられている請求項２に記載の発光指針を特徴としている。
【００２６】
さらに、請求項４に記載の発明は、前記発光指針部材に前記蓋部が設けられ、前記指針部カバー部に前記指針部を挿入することにより前記切欠部が閉塞される請求項３に記載の発光指針を特徴としている。
【発明の効果】
【００２７】
このように構成された本発明の請求項１のものは、指針部が略筒状の指針部カバー部に挿入され、カバー部材には文字盤とは反対側に指針部からの光を挿通するためのスリット部が設けられているので、指針部から放射される光の文字盤側からの漏光がなく、車室側から見ると、光を挿通するためのスリット部だけが発光して見える。このため、指針部背後の文字盤と発光部としてのスリット部とのコントラストが低下することがなく、メーター装置の視認性が良い上に、発光指針の見映えがよい。
【００２８】
そして、請求項２のものは、指針部カバー部に指針部を挿入する際にカバー部材と発光指針部材との干渉を回避するための切欠部がカバー部材に設けられているので、カバー部材と発光指針部材とが干渉することなく、容易に発光指針を組み立てることができる。
【００２９】
また、請求項３のものは、切欠部を塞ぐための蓋部が設けられているので、切欠部からの漏光を防ぐことができる。
【００３０】
さらに、請求項４のものは、発光指針部材に蓋部が設けられ、指針部カバー部に指針部を挿入することにより切欠部が閉塞されるので、指針部を指針部カバー部に挿入して装着するだけで、本発明の発光指針の組立が完了し、組立施工性がよい。
【発明を実施するための最良の形態】
【００３１】
本発明に係る実施の形態の実施例に基づいて本発明を説明する。
【実施例１】
【００３２】
〈全体構成〉
図３（ａ）において、符号１１は車両のメーター装置、符号１２はメーター装置１１のスピードメーターの文字盤、符号１３は実施例１の発光指針である。
【００３３】
図３（ｂ）において、符号１４は発光指針１３を駆動するためのムーブメント、符号１５は発光指針１３などを照光するためのＬＥＤ、符号１６は回路基板、符号１７は導光部材である。
【００３４】
ムーブメント１４は、回路基板１６の裏面側に実装されており、ムーブメント１４の回転軸１４ａは、ムーブメント１４の回転軸１４ａは回路基板１６に形成された穴を貫通している。
【００３５】
ＬＥＤ１５，１５は、回路基板１６の表面側にムーブメント１４の回転軸１４ａの周囲に実装されている。
【００３６】
ＬＥＤ１５，１５による照光は、導光部材１７，１７によって導光されて、文字盤１２に設けられた発光指針１３用の軸部貫通穴１２ａおよび、その周囲を裏面側から照光する。
【００３７】
本実施例の発光指針１３は、メーター装置１１の文字盤１２を指示すると共にメーター装置１１に設けられた光源１５による照射光を導光して発光するようになっている。
【００３８】
〈発光指針１３の構成〉
発光指針１３は、主に樹脂によって形成されており、透光性の発光指針部材１３Ａと遮光性のカバー部材１３Ｂとによって構成されている。
【００３９】
〈発光指針部材１３Ａの構成〉
図４に示すように、発光指針部材１３Ａは、照射光を受光する受光部１３Ａａと、受光部１３Ａａから延びかつ受光部１３Ａａからの光を導光して発光する指針部１３Ａｂとを有している。
【００４０】
受光部１３Ａａは平面視略扇形状を呈しており、受光部１３Ａａの半径方向前端部からは略棒状の指針部１３Ａｂが回転の半径方向外向きに延びている。
【００４１】
指針部１３Ａｂは、指針部１３Ａｂの長手方向横断面形状が略矩形形状を呈しており、先端に向かうほど細くなっている。
【００４２】
指針部１３Ａｂの文字盤１２を臨む側の端面（裏面）を下端面１３Ａｅとし、下端面１３Ａｅと反対側の発光端面を上端面１３Ａｆとし、車室側から文字盤１２を見て指針部１３Ａｂの伸びる方向両側の端面を側端面１３Ａｇ，１３Ａｇとする。
【００４３】
受光部１３Ａａには、回転の半径方向後端部に約４５°に傾斜した反射面１３Ａｃ，１３Ａｄ，１３Ａｄが形成されており、軸部１３Ａｈが裏側に向けて一体に突設形成されている。この軸部１３Ａｈには、ムーブメント１４の回転軸１４ａに嵌合する軸穴１３Ａｉが形成されている。
【００４４】
また、受光部１３Ａａの指針部１３Ａｂの伸びる方向両側には、一対の係合部１３Ａｊ，１３Ａｊが設けられており、一対の係合部１３Ａｊ，１３Ａｊには、指針部１３Ａｂの伸びる方向前端部に保持部１３Ａｋ，１３Ａｋがそれぞれ形成されている。
【００４５】
〈カバー部材１３Ｂの構成〉
カバー部材１３Ｂは、主に遮光性の樹脂によって形成されており、図５に示すように、発光指針部材１３Ａの受光部１３Ａａを収容する受光部カバー部１３Ｂａと、受光部カバー部１３Ｂａから延びかつ発光指針部材１３Ａの指針部１３Ａｂが挿入される略筒状の指針部カバー部１３Ｂｂとを有している。
【００４６】
受光部カバー部１３Ｂａは略キャップ形状を呈しており、受光部カバー部１３Ｂａには、発光指針部材１３Ａの受光部１３Ａａが収容されるようになっている。
【００４７】
指針部カバー部１３Ｂｂは長手方向横断面形状が略矩形形状を呈した筒状を呈しており、内部に発光指針部材１３Ａの指針部１３Ａｂが挿入可能となっている。
【００４８】
指針部カバー部１３Ｂｂの文字盤１２を臨む側（裏面側）の壁を下壁部１３Ｂｃとし、下壁部１３Ｂｃと反対側（正面側）の壁を上壁部１３Ｂｄとし、車室側から文字盤１２を見て指針部１３Ｂｂの伸びる方向両側側壁を側壁部１３Ｂｅ，１３Ｂｅとする。指針部カバー部１３Ｂｂの先端部には、端壁１３Ｂｍが形成されている。
【００４９】
カバー部材１３Ｂの上壁部１３Ｂｄには、文字盤１２とは反対側に指針部１３Ａｂからの光を挿通するためのスリット部１３Ｂｆが、指針部カバー部１３Ｂｂの伸びる方向に沿って形成されている。
【００５０】
略キャップ形状の受光部カバー部１３Ｂａは、略円形の上壁部１３Ｂｇを有しており、上壁部１３Ｂｇの裏面側には一対の係合ピン１３Ｂｈ，１３Ｂｈが設けられている。
【００５１】
これらの係合ピン１３Ｂｈ，１３Ｂｈは、発光指針部材１３Ａの係合部１３Ａｊ，１３Ａｊに形成された保持部１３Ａｋ，１３Ａｋにそれぞれ係合される。
【００５２】
また、受光部カバー部１３Ｂａの略円筒状の側壁部１３Ｂｊには、平面視矩形形状の切欠部Ｗが設けられており、切欠部Ｗの一方の側端部にはヒンジ部１３Ｂｌを介して蓋部１３Ｂｋが一体に形成されている。
【００５３】
切欠部Ｗは、指針部カバー部１３Ｂｂに指針部１３Ａｂを挿入する際にカバー部材１３Ｂと発光指針部材１３Ａとの干渉を回避するために設けられており、蓋部１３Ｂｋは、切欠部Ｗを塞ぐために設けられている。
【００５４】
ヒンジ部１３Ｂｌは、肉薄に形成されているので、蓋部１３Ｂｋは、このヒンジ部１３Ｂｌを中心に回動可能となっており、切欠部Ｗは蓋部１３Ｂｋにより開閉可能になっている。
【００５５】
蓋部１３Ｂｋのヒンジ部１３Ｂｌと反対側の側端部には、係合部１３Ｂｎが設けられており、蓋部１３Ｂｋによって切欠部Ｗを閉じた状態では、切欠部Ｗの他方の側端部に係合して、蓋部１３Ｂｋがロックされる。
【００５６】
また、上壁部１３Ｂｇの裏面側にはストッパ１３Ｂｉが設けられており、このストッパ１３Ｂｉは、蓋部１３Ｂｋを閉じた際に、蓋部１３Ｂｋが受光部カバー部１３Ｂａの内部に入り込むのを防止する。
【００５７】
〈発光指針１３の組立方法〉
図６に示すように、カバー部材１３Ｂの蓋部１３Ｂｋを開いた状態（図６の（ａ））で、発光指針部材１３Ａの指針部１３Ａｂを筒状の指針部カバー部１３Ｂｂに挿入し、発光指針部材１３Ａの一対の係合部１３Ａｊ，１３Ａｊが、受光部カバー部１３Ｂａの一対の係合ピン１３Ｂｈ，１３Ｂｈに係合するまで挿入し、カバー部材１３Ｂに発光指針部材１３Ａを固定する（図６の（ｂ））。
【００５８】
そして、受光部カバー部１３Ｂａの蓋部１３Ｂｋを閉じて（図６の（ｃ））、図３に示すように、発光指針部材１３Ａの軸部１３Ａｈの軸穴１３Ａｉにムーブメント１４の回転軸１４ａを嵌合させて、発光指針１３をメーター装置１１に装着する。
【００５９】
〈発光指針１３の作用〉
図３（ｂ）に示すＬＥＤ１５，１５から放射された光は、導光部材１７，１７によって導光され、文字盤１２に設けられた発光指針１３用の軸部貫通穴１２ａおよび、その周囲の透光部を通して、発光指針部材１３Ａの受光部１３Ａａの図４に示す入射面ＩＳを裏面側から照光し、受光部１３Ａａの反射面１３Ａｃ，１３Ａｄ，１３Ａｄを照射する。
【００６０】
そして、受光部１３Ａａの反射面１３Ａｃ，１３Ａｄ，１３Ａｄに照射された光は、半径方向外向きに反射され、指針部１３Ａｂの下端面１３Ａｅと、下端面１３Ａｅと反対側の上端面１３Ａｆとの間で反射しつつ半径方向外側に向けて導光される（図３（ｂ）参照）。
【００６１】
下端面１３Ａｅは、従来例のように、必ずしも裏面側から銀色あるいは白色に塗装する必要はなく、ホットスタンプなどの処理をする必要もない。
【００６２】
また、上端面１３Ａｆは、通常、多数の微細な凹凸により透過光を拡散させるシボ加工を施すが、本実施例の発光指針１３では、必ずしもシボ加工を施す必要はない。
【００６３】
図７に示すように、指針部１３Ａｂ内部に導光された光は上端面１３Ａｆを透過して、スリット部１３Ｂｆを通して放射されるので、メーター装置１１を車室側から見ると、発光指針１３のスリット部１３Ｂｆ全体が発光して見える。
【００６４】
〈効果〉
図６に示すように、指針部カバー部１３Ｂｂに指針部１３Ａｂを挿入する際に、カバー部材１３Ｂと発光指針部材１３Ａとの干渉を回避するための切欠部Ｗがカバー部材１３Ｂに設けられているので、カバー部材１３Ｂと発光指針部材１３Ａとが干渉することなく、容易に発光指針１３を組み立てることができる。
【００６５】
また、発光指針１３には、切欠部Ｗを塞ぐための蓋部１３Ｂｋが設けられているので、切欠部Ｗからの漏光を防ぐことができる。
【００６６】
本実施例では、受光部カバー部１３Ｂａの蓋部１３Ｂｋを開いて、指針部１３Ａｂを指針部カバー部１３Ｂｂに挿入し、発光指針部材１３Ａの一対の係合部１３Ａｊ，１３Ａｊを受光部カバー部１３Ｂａの一対の係合ピン１３Ｂｈ，１３Ｂｈに係合させ、カバー部材１３Ｂに発光指針部材１３Ａを固定して、蓋部１３Ｂｋを閉じるだけで、発光指針１３の組立が完了するので組立施工性がよい。
【００６７】
しかも、図７に示すように、指針部１３Ａｂが略筒状の指針部カバー部１３Ｂｂに挿入され、カバー部材１３Ｂには文字盤１２とは反対側に指針部１３Ａｂからの光を挿通するためのスリット部１３Ｂｆが設けられているので、指針部１３Ａｂから放射される光の文字盤１２側からの漏光がなく、車室側から見ると、光を挿通するためのスリット部１３Ｂｆだけが発光して見える。
【００６８】
このため、指針部１３Ａｂの背後の文字盤１２と発光部としてのスリット部１３Ｂｆとのコントラストが低下することがなく、メーター装置１１の視認性が良い上に、発光指針１３の見映えがよい。
【実施例２】
【００６９】
実施例２を図８ないし図１０を参照しつつ説明する。また、実施例１と同様の内容は説明を省略し、実施例１と異なる部分を中心に説明する。なお、図面において、実施例１と同一ないし均等な部分については、同一の符号を付すものとする。
【００７０】
〈発光指針２３の構成〉
図１０に示すように、実施例２の発光指針２３は、主に樹脂によって形成されており、透光性の発光指針部材２３Ａと、一部を除き遮光性を有するカバー部材２３Ｂとによって構成されている。
【００７１】
〈発光指針部材２３Ａの構成〉
図８に示すように、実施例２の発光指針部材２３Ａには、実施例１の発光指針部材１３Ａに設けられていた一対の係合部１３Ａｊ，１３Ａｊと、軸部１３Ａｈとが設けられておらず、その代わりに、略半円弧状の蓋部２３Ａａと、蓋部２３Ａａと受光部１３Ａａとを連結する連結板部２３Ａｂとが一体に形成された連結蓋部２３Ａｃが備えられている。
【００７２】
そして、指針部カバー部１３Ｂｂに指針部１３Ａｂを挿入することにより、蓋部２３Ａａによって切欠部Ｗ’が閉塞されるようになっている。
【００７３】
発光指針部材２３Ａは、透明樹脂によって構成されているが、少なくとも蓋部２３Ａａの外側面には、ホットスタンプや塗装などにより遮光処理が施されている。
【００７４】
〈カバー部材２３Ｂの構成〉
カバー部材２３Ｂは、透光性の樹脂によって形成されており、図９に示すように、受光部カバー部２３Ｂａと、指針部カバー部１３Ｂｂとを有している。
【００７５】
実施例２の指針部カバー部１３Ｂｂの構成は実施例１の指針部カバー部１３Ｂｂと同様であるが、実施例２の受光部カバー部２３Ｂａの構成は、実施例１の受光部カバー部１３Ｂａの構成と異なっているので、受光部カバー部２３Ｂａの構成を詳述する。
【００７６】
受光部カバー部２３Ｂａには、発光指針部材１３Ａの受光部１３Ａａが収容されるようになっている。
【００７７】
受光部カバー部２３Ｂａは、略円形の上壁部２３Ｂｂと下壁部２３Ｂｃとを有しており、受光部カバー部２３Ｂａの側壁部２３Ｂｄには、略半円筒状の切欠部Ｗ’が設けられている。この切欠部Ｗ’には、発光指針部材２３Ａの蓋部２３Ａａが嵌合され、嵌合固定可能となっている。
【００７８】
また、下壁部２３Ｂｃの略中央位置には、軸部２３Ｂｅが裏側に向けて一体に突設形成されている。この軸部２３Ｂｅには、ムーブメント１４の回転軸１４ａに嵌合する軸穴２３Ｂｆが形成されている。
【００７９】
そして、下壁部２３Ｂｃを除いて、吹きつけ塗装などにより遮光処理を施すことにより、下壁部２３Ｂｃは透光性を保ち、下壁部２３Ｂｃ以外の部分に遮光性を備えることができる。
【００８０】
なお、遮光処理を施す部分に予め白色塗料などの反射性の高い色の塗装を施すことによって、カバー部材２３Ｂ内部の反射性を高めて、発光指針１３の導光効率を高めることができる。
【００８１】
〈発光指針２３の組立方法〉
図１０に示すように、カバー部材２３Ｂの下壁部２３Ｂｃと、発光指針部材２３Ａの入光面ＩＳの向きを合わせた状態（図１０の（ａ））で、指針部１３Ａｂを筒状の指針部カバー部１３Ｂｂに挿入し（図１０の（ｂ））、発光指針部材２３Ａの蓋部２３Ａａが受光部カバー部２３Ｂａの切欠部Ｗ’に嵌合するまで挿入し、蓋部２３Ａａを切欠部Ｗ’に押入してカバー部材２３Ｂに発光指針部材２３Ａを固定する（図１０の（ｃ））。
【００８２】
そして、図３に示したのと同様にして、下壁部２３Ｂｃの軸部２３Ｂｅの軸穴２３Ｂｆにムーブメント１４の回転軸１４ａを嵌合させて、発光指針２３をメーター装置１１に装着する。
【００８３】
〈発光指針２３の作用〉
実施例１と同様であるので省略する。
【００８４】
〈効果〉
図１０に示すように、指針部カバー部１３Ｂｂに指針部１３Ａｂを挿入する際に、カバー部材２３Ｂと発光指針部材２３Ａとの干渉を回避するための切欠部Ｗ’がカバー部材２３Ｂに設けられているので、カバー部材２３Ｂと発光指針部材２３Ａとが干渉することなく、容易に発光指針２３を組み立てることができる。
【００８５】
また、発光指針２３には、切欠部Ｗ’を塞ぐための蓋部２３Ａａが設けられているので、切欠部Ｗ’からの漏光を防ぐことができる。
【００８６】
さらに、発光指針部材２３Ａに蓋部Ｗ’が設けられ、指針部カバー部１３Ｂｂに指針部１３Ａｂを挿入することにより切欠部Ｗ’が閉塞されるので、指針部１３Ａｂを指針部カバー部１３Ｂｂに挿入して装着するだけで、本発明の発光指針２３の組立が完了し、組立施工性がよい。
【００８７】
本実施例では、指針部１３Ａｂを筒状の指針部カバー部１３Ｂｂに挿入し、発光指針部材２３Ａの蓋部２３Ａａを受光部カバー部２３Ｂａの切欠部Ｗ’に嵌合させて押入するだけで、発光指針２３の組立が完了するので組立施工性がよい。
【００８８】
また、カバー部材２３Ｂの下壁部２３Ｂｃを除いて、吹きつけ塗装などにより遮光処理を施すことにより、下壁部２３Ｂｃは透光性を保ち、下壁部２３Ｂｃ以外の部分に遮光性を備えることができるので、発光指針２３を単一部材によって構成できる。
【００８９】
さらに、遮光処理を施す部分に予め外側または内側から白色塗料などにより塗装することにより、カバー部材２３Ｂ内部の反射性を高めて、発光指針２３の導光効率を高めることができる。
【００９０】
しかも、指針部１３Ａｂが略筒状の指針部カバー部１３Ｂｂに挿入され、カバー部材２３Ｂには文字盤１２とは反対側に指針部１３Ａｂからの光を挿通するためのスリット部１３Ｂｆが設けられているので、指針部１３Ａｂから放射される光の文字盤１２側からの漏光がなく、車室側から見ると、光を挿通するためのスリット部１３Ｂｆだけが発光して見える。
【００９１】
このため、指針部１３Ａｂの背後の文字盤１２と発光部としてのスリット部１３Ｂｆとのコントラストが低下することがなく、メーター装置１１の視認性が良い上に、発光指針２３の見映えがよい。
【００９２】
以上、図面を参照して、本発明に係る実施の形態の実施例を詳述してきたが、具体的な構成は、この実施の形態に限らず、本発明の要旨を逸脱しない程度の設計的変更は、本発明に含まれるものである。
【図面の簡単な説明】
【００９３】
【図１】従来例の発光指針に係るアナログ式メーター装置を示す図であり、（ａ）はスピードメーターの斜視図、（ｂ）は（ａ）のＡ−Ａ断面線における断面の断面図である。
【図２】従来例の発光指針の問題点を説明する図であり、（ａ）は従来例の発光指針に係るアナログ式メーター装置を示す正面図、（ｂ）は（ａ）のＢ矢視方向から見た端面図である。
【図３】実施例１の発光指針に係るアナログ式メーター装置を示す図であり、（ａ）はスピードメーターの斜視図、（ｂ）は（ａ）のＣ−Ｃ断面の断面図である。
【図４】実施例１の発光指針に係る発光指針部材を示す３面図であり、（ａ）は正面図、（ｂ）は側面図、（ｃ）は裏面図である。
【図５】実施例１の発光指針に係るカバー部材の５面図である。
【図６】実施例１の発光指針の組立方法を説明する斜視図であり、（ａ）はカバー部材に発光指針部材を挿入する前の図、（ｂ）はカバー部材に発光指針部材を挿入した後の図、（ｃ）はカバー部材に発光指針部材を挿入後、蓋部を閉じての組立が完了した状態の図である。
【図７】本実施例の発光指針に係るアナログ式メーター装置を示し、本実施例の発光指針の作用効果を説明する図であり、（ａ）はスピードメーターの斜視図、（ｂ）は（ａ）のＥ矢視方向から見た端面図である。
【図８】実施例２の発光指針に係る発光指針部材を示す３面図であり、（ａ）は正面図、（ｂ）は側面図、（ｃ）は裏面図である。
【図９】実施例２の発光指針に係るカバー部材の５面図である。
【図１０】実施例２の発光指針の組立方法を説明する斜視図であり、（ａ）はカバー部材に発光指針部材を挿入する前の図、（ｂ）はカバー部材に発光指針部材を挿入した後の図、（ｃ）はカバー部材に発光指針部材を挿入後、蓋部を閉じての組立が完了した状態の図である。
【符号の説明】
【００９４】
１１                    メーター装置
１２                    文字盤
１３，２３                      発光指針
１３Ａ，２３Ａ          発光指針部材
１３Ｂ，２３Ｂ          カバー部材
１３Ａａ                        受光部
１３Ａｂ                        指針部
１３Ｂ，２３Ｂ          カバー部材
１３Ｂａ，２３Ｂａ              受光部カバー部
１３Ｂｂ                        指針部カバー部
１３Ｂｆ                        スリット部
１３Ｂｋ，２３Ａａ              蓋部
１５                    ＬＥＤ（光源）
Ｗ，Ｗ’                        切欠部
【図１】
2009145276.tif 000003
【図２】
2009145276.tif 000004
【図３】
2009145276.tif 000005
【図４】
2009145276.tif 000006
【図５】
2009145276.tif 000007
【図６】
2009145276.tif 000008
【図７】
2009145276.tif 000009
【図８】
2009145276.tif 000010
【図９】
2009145276.tif 000011
【図１０】
2009145276.tif 000012